(57)【要約】【課題】  一々相手にキャッチホンが入ったことを連絡しなくても良い電話装置を提供する。【解決手段】  キャッチホン着信があると（Ｓ２ステップのＹ）、外線通話中の相手先、キャッチホンが入った旨のメッセージを自動的に送信すると共にマイクからの音声をミュートし、キャッチホンを入れてきた相手先と通話を開始する（Ｓ３〜Ｓ６ステップ）。【選択図】  図２
2008124588.tif 000002
【特許請求の範囲】
【請求項１】
通話中にキャッチホンの着信があると、キャッチホンが入った旨のメッセージを通話中の相手先に自動的に送信することを特徴とする電話装置。
【請求項２】
通話中にキャッチホンの着信があると、キャッチホンが入った旨のメッセージを通話中の相手先に自動的に送信し、送信後自動的に前記通話中の相手先との回線を保留状態にすると共に前記キャッチホンの発呼側との回線を接続することを特徴とする電話装置。
【請求項３】
請求項１又は２に記載の電話装置であり、通話中にキャッチホンの着信があると、マイクからの音声を通話中の相手先に送信することを禁止することを特徴とする電話装置。
【請求項４】
キャッチホンの着信を検出するキャッチホン着信検出手段と、キャッチホンが入った旨のメッセージを格納するメッセージ格納手段と、網制御手段と、
通話中に、前記キャッチホン着信検出手段がキャッチホンの着信を検出したと判定すると、前記メッセージ格納手段に格納されているメッセージを通話中の相手先へ送出するように前記網制御手段を制御する制御手段と、を有することを特徴とする電話装置。
【請求項５】
キャッチホンの着信を検出するキャッチホン着信検出手段と、キャッチホンが入った旨のメッセージを格納するメッセージ格納手段と、網制御手段と、
通話中に、前記キャッチホン着信検出手段がキャッチホンの着信を検出したと判定すると、前記メッセージ格納手段に格納されているメッセージを通話中の相手先へ送出し、メッセージ送出後に前記通話中の相手先との回線を保留状態にするように前記網制御手段を制御する制御手段と、を有することを特徴とする電話装置。
【請求項６】
請求項４又は５に記載の電話装置であり、更にマイクと、ミュート手段とを有し、
前記制御手段は、前記キャッチホン着信検出手段がキャッチホンの着信を検出したと判定すると、前記マイクからの音声をミュートするように前記ミュート手段を制御することを特徴とする電話装置。
【発明の詳細な説明】
【技術分野】
【０００１】
本発明は電話装置に関する。
【背景技術】
【０００２】
現在、日本電信電話株式会社からキャッチホンサービスが提供されている。これは、外線通話中に、交換機が電話機に、他の相手先からの着信があったことを示す音を送信するものである。この音を受信した電話機のユーザが所定の操作を行うことにより、外線通話中の相手先とは保留状態にし、新しく着信のあった相手先との通話を開始することが可能である。
又、このキャッチホンサービスに関する技術が数多く提案されており、例えば特許文献１には、家庭用簡易交換装置が自動的にキャッチホンサービスの保留状態の解除を検出し、この際に報知音で使用者に保留が解除されたことを知らせる技術が記載されている。
【特許文献１】特開平４−１９２９５６号公報
【発明の開示】
【発明が解決しようとする課題】
【０００３】
従来の電話装置では、通話中にキャッチホン着信があると、ユーザは現在通話中の相手先に、他の相手先から着信が来たので一旦通話を切る旨を連絡しなければならず、非常に面倒である。
【０００４】
又、通話中にキャッチホン着信があると、通話中の相手先にもキャッチホン着信があることを示す音が聞こえる為、キャッチホンを良く知らない子供等が効くと、電話が故障したと勘違いする可能性がある。
【課題を解決するための手段】
【０００５】
本発明はこのような課題を解決する為のものであり、
請求項１記載の電話装置は、通話中にキャッチホンの着信があると、キャッチホンが入った旨のメッセージを通話中の相手先に自動的に送信することを特徴とする。
請求項２記載の電話装置は、通話中にキャッチホンの着信があると、キャッチホンが入った旨のメッセージを通話中の相手先に自動的に送信し、送信後自動的に前記通話中の相手先との回線を保留状態にすると共に前記キャッチホンの発呼側との回線を接続することを特徴とする。
請求項３記載の電話装置は、請求項１又は２に記載の電話装置であり、通話中にキャッチホンの着信があると、マイクからの音声を通話中の相手先に送信することを禁止することを特徴とする。
請求項４記載の電話装置は、キャッチホンの着信を検出するキャッチホン着信検出手段と、キャッチホンが入った旨のメッセージを格納するメッセージ格納手段と、網制御手段と、通話中に、前記キャッチホン着信検出手段がキャッチホンの着信を検出したと判定すると、前記メッセージ格納手段に格納されているメッセージを通話中の相手先へ送出するように前記網制御手段を制御する制御手段と、を有することを特徴とする。
請求項５記載の電話装置は、キャッチホンの着信を検出するキャッチホン着信検出手段と、キャッチホンが入った旨のメッセージを格納するメッセージ格納手段と、網制御手段と、通話中に、前記キャッチホン着信検出手段がキャッチホンの着信を検出したと判定すると、前記メッセージ格納手段に格納されているメッセージを通話中の相手先へ送出し、メッセージ送出後に前記通話中の相手先との回線を保留状態にするように前記網制御手段を制御する制御手段と、を有することを特徴とする。
請求項６記載の電話装置は、請求項４又は５に記載の電話装置であり、更にマイクと、ミュート手段とを有し、前記制御手段は、前記キャッチホン着信検出手段がキャッチホンの着信を検出したと判定すると、前記マイクからの音声をミュートするように前記ミュート手段を制御することを特徴とする。
【発明の効果】
【０００６】
請求項１及び４記載の電話装置によると、通話中にキャッチホンの着信があると、キャッチホンが入った旨のメッセージを通話中の相手先に自動的に送信する為、通話中の相手先に一々キャッチホンが入ったことを連絡する必要がない。
【０００７】
請求項２及び５に記載の電話装置によると、メッセージ送出後に自動的に保留状態になる為、通話中の相手先との間で保留状態にする為に一々ユーザが操作を行う必要がない。
請求項３及び６記載の電話装置によると、通話中にキャッチホンの着信があると、マイクからの音声を通話中の相手先に送信することを禁止する為、正確にキャッチホンが入った旨のメッセージを通話中の相手先に送ることができる。
【発明を実施するための最良の形態】
【０００８】
図１は本発明を適用してなる実施例装置（電話装置）のブロック図である。
【０００９】
図１において、制御部１００は電話装置内部の各回路の制御を司る。又、制御部１００は、着信時に発呼側の電話番号を一時的に格納するバッファメモリ（図示せず）と所定時間の計時を行うタイマ（図示せず）とを有している。
ダイオードブリッジ１１０は回線Ｌと接続されており、回線Ｌの極性が反転しても装置内部の回路の電位を一定に保つ。リンガー検出部１２０は、回線Ｌに接続され、回線Ｌから一定周期で送られてくる周波数１６ヘルツの着信信号を検出すると上記着信を示す信号を制御部１００に送出する。
【００１０】
網制御部１３０は、上記制御部１００の制御の下で回線の閉結動作を行い、回線の極性反転を検出する機能も有している。又、ＤＴＭＦ（Ｄｕａｌ  Ｔｏｎｅ  Ｍｕｌｔｉｐｌｅ  Ｆｒｅｑｕｅｎｃｙ）信号や、ダイヤルパルス信号を回線へ送出する機能を有している。
ビープ音発生部１４０は、制御部１００の制御の下で例えば２キロヘルツのビープ音を網制御部１３０を介して回線Ｌへ送出する。
【００１１】
スピーカ１５０は、アンプ１６０とミュート回路１７０を介して制御部１００と接続されており、上記リンガー検出部１２０により回線Ｌからの着信信号が検出された際に着信音を送出し、又、拡声受話を行う際には、回線Ｌからの音声やＲＢＴ（Ｒｉｎｇ  Ｂａｃｋ  Ｔｏｎｅ）をスピーカ１５０から出力する。
【００１２】
ミュート回路１７０は、制御部１００の制御の下で、スピーチネットワーク部１８０から入力した音声信号や着信音等をスピーカから送出させないようにする。スピーチネットワーク部１８０は、音声信号の通過するラインの接続切換を行う。
【００１３】
又、スピーチネットワーク部１８０は、スピーカ１９１から入力した音声信号を回線Ｌへ送出しないようにするためのミュート回路を内蔵している（図示せず）。
【００１４】
送受話部１９０のスピーカ１９１は、アンプ１９２を介して上記スピーチネットワーク部１８０と接続されており、回線Ｌから入力した発呼側の音声信号を送出する。送受話部１９０のマイク１９３は、アンプ１９４を介して上記スピーチネットワーク部１８０と接続されており、ユーザの発した音声信号をスピーチネットワーク部１８０へ送出する。
フック検出部２００は、制御部１００と接続されており、上記送受話部１９０のオンフック、オフフックを検出する。
発呼側番号検出部２１０は、スピーチネットワーク部１８０と制御部１００とに接続されており、着信時に回線Ｌからの発呼側電話番号を検出する。
入力部２２０は、テンキーや、ＤＴＭＦとダイヤルパルスとを切り換えるスイッチ等を有しており、入力部２２０で入力された信号は制御部１００に送出される。
【００１５】
電話帳メモリ２３０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の書き換え自由な不揮発性メモリからなり、電話番号と発呼側の名称とを対にして複数件格納可能である。
【００１６】
用件メッセージ格納部２４０は、例えばＥＥＰＲＯＭからなり、電話装置が留守録音を開始した際に回線Ｌから入力した発呼側の用件メッセージを格納する領域と、上記用件メッセージに対応する発呼側の電話番号を格納する領域とを有しており、上記発呼側番号検出部２１０が着信時に発呼側の電話番号を検出した場合には、上記用件メッセージと発呼側の電話番号とを対にして格納可能であり、これらの情報を複数件格納可能である。又、着信時に前記発呼側番号検出部２１０が電話番号を検出しなかった場合には、用件メッセージのみ用件メッセージ格納部２４０に格納される。尚、用件メッセージに対応して着信した日付、日時等を格納しても良い。
【００１７】
表示部２５０は、上記入力部２２０から入力された電話番号や、上記電話帳メモリ２３０に格納されている電話番号及び名称等を表示することが可能である。又、上記用件メッセージ格納部２４０に格納されている発呼側からの用件メッセージを再生（スピーカ１５０から送出）している際に、上記用件メッセージ格納部２４０に上記発呼側のメッセージと対となって格納されている発呼側の電話番号を表示する。
【００１８】
拒否番号格納部２６０は、例えばＥＥＰＲＯＭ等からなり、着信を拒否する相手先の電話番号が格納される。
【００１９】
応答メッセージ格納部２７０は、例えばＥＥＰＲＯＭ等からなり、用件メッセージを格納する前に発呼側へ送出する応答メッセージ（例えば、"ただ今でかけております、発信音の後にメッセージを入れてください"）を格納している。
又、応答メッセージ格納部２７０には、キャッチホンの着信信号を検出した時点で通話相手先に送信するメッセージ（例えば、「ただ今キャッチホン相手先に応答中です。しばらくお待ち下さい。」）が格納されている。
【００２０】
次に、本発明を適用してなる実施例装置の動作について以下に説明する。
【００２１】
図２は本実施例装置の動作を示すフロー図である。以下、Ａ、Ｂ、Ｃの３つの電話があるとする。Ａは本実施例装置である電話装置であり、Ｂは初めにＡと通話を行っていた（回線を接続した）相手先であり、Ｃは、ＡとＢが通話中（回線接続中）にキャッチホンサービスにより割り込んできた相手先である。
【００２２】
図２のＳ１ステップにおいて、ＡとＢが通話中であるとする。続いて、Ｓ２ステップでは、制御部１００は、網制御部１３０がキャッチホンの着信信号を受信したと判定するとＳ３ステップへ処理を進め、そうでなければ、Ｓ１２ステップへ処理を進める。
【００２３】
Ｓ３ステップでは、制御部１００は、応答メッセージ格納部２７０に格納されている、メッセージ（例えば、「ただ今キャッチホン相手先に応答中です。しばらくお待ち下さい。」）を回線へ送出させＳ４ステップへ処理を進める。
【００２４】
Ｓ４ステップでは、制御部１００は、スピーチネットワーク部１８０を制御することにより、マイク１９３から入力された音声にミュートをかける。
【００２５】
続くＳ５ステップでは、制御部１００は、Ｂとの通話を保留状態にし、Ｓ６ステップへ処理を進める。
【００２６】
Ｓ６ステップでは、制御部１００は、ＡとＣ間で回線を接続し通話を開始する。
【００２７】
Ｓ７ステップでは、制御部１００は、網制御部１３０からＢが回線を切断したことを示す信号を検出したと判定すると、Ｓ８ステップへ処理を進め、そうでなければＳ１０ステップへ処理を進める。
【００２８】
Ｓ８ステップでは、制御回路１００は、ＡとＣとの間で回線を接続させＳ９ステップへ処理を進める。
【００２９】
Ｓ９ステップでは、制御回路１００は、網制御部１３０から回線が断となったことを示す信号を検出するか、フック検出部２００からハンドセットがオンフックとなったことを示す信号を検出すると、処理を終了する。
【００３０】
Ｓ１０ステップでは、制御回路１００は、網制御部１３０からＣとの間の回線が切断されたことを示す信号を検出すると、Ｓ１１ステップへ処理を進め、そうでなければＳ７ステップへ処理を戻す。
【００３１】
Ｓ１１ステップでは、制御回路１００は、ＡとＢとの間での通話処理を行ない、Ｓ１２ステップへ処理を進める。
【００３２】
Ｓ１２ステップでは、制御回路１００は、Ｓ９ステップと同様に網制御部１３０から回線が断となったことを示す信号を検出するか、フック検出部２００からハンドセットがオンフックとなったことを示す信号を検出すると、処理を終了する。
【図面の簡単な説明】
【００３３】
【図１】は、本発明を適用してなる実施例装置のブロック図である。
【図２】は、本発明を適用してなる実施例装置の動作を示すフロー図である。
【符号の説明】
【００３４】
１００  制御部
１３０  網制御部
２００  フック検出部
２７０  応答メッセージ格納部
【図１】
2008124588.tif 000003
【図２】
2008124588.tif 000004